(57)【特許請求の範囲】
【請求項１】
（ａ）燃焼廃ガスを温度１０００〜１５００℃に加熱して該燃焼廃ガス中に含まれているダイオキシンを分解したのち、（ｂ）得られる廃ガスを温度６００〜１０００℃に空気冷却して該廃ガス中に含まれる重金属成分を凝縮させて分別し、（ｃ）得られる廃ガスをベンチュリー塔内で溢流水と混合し、次いで（ｄ）得られた燃焼廃ガスと該溢流水との混合液をベンチュリー塔で急冷し、さらに（ｅ）得られた廃ガス成分溶解液を活性炭にキレート形成基含有化合物を結合した重金属吸着剤に接触させて重金属を吸着除去することを特徴とする産業廃ガスの浄化方法。
【請求項２】
該廃ガス成分溶解液の一部を該溢流水として再循環させてなる請求項１に記載の方法。
【請求項３】
温度６００〜１０００℃の廃ガスをベンチュリー塔内の溢流水と混合し、得られた該ガスと溢流水との混合液を冷却するための中間胴部の内部に溢流可能な貯水部を備えたベンチュリー塔よりなる冷却装置と、
活性炭にキレート形成基含有化合物を結合した重金属吸着剤を充填した重金属吸着塔とを有する産業廃ガスの浄化装置。
【請求項４】
該貯水部には冷却水供給口を備えてなる請求項３に記載の装置。
【請求項５】
該冷却水供給には、廃ガス成分溶解液貯槽と連結してなる請求項４に記載の装置。
【発明の詳細な説明】
【０００１】
【発明の属する技術分野】
本発明は、燃焼廃ガスまたは産業廃液の浄化方法および浄化装置に関し、より詳細には、燃焼廃ガスや産業廃液に含まれるダイオキシン、酸性物質、粉塵、重金属等を除去する燃焼廃ガスまたは産業廃液の浄化方法および、そのための浄化装置に関する。
【０００２】
【従来の技術】
工業プロセスや産業廃棄物や家庭ゴミ等の中には、重金属や塩素などのハロゲン物質、硫黄化合物、窒素化合物が含まれるため、これらを燃焼した廃ガスや燃焼灰中には、ダイオキシン、煤塵、ＳＯｘ、ＮＯｘ、ハロゲン化水素等の酸性物質、更に水銀、鉛等の重金属等の有害物質が含まれる。従って、これら廃ガスや燃焼灰をそのまま環境中に放出したのでは、大気、水質、土壌等を汚染するため環境全体に与える影響は大きく、これら廃ガスの処理等に関して、大気汚染防止法や悪臭防止法、水質汚濁防止法等の公害規制値が定められ、かかる数値の遵守が要求されている。
【０００３】
例えば、上記廃ガスやこれを洗浄した廃ガス洗液、燃焼灰の洗液に含まれる有害物質の処理に関していえば、ＳＯｘ、ＮＯｘ等は、一旦水溶液中に回収した後に、アルカリ物質を添加して不溶性の沈殿物を得て、分別回収を行っている。水洗によって煤塵の回収も同時に行うことができる。また、重金属に関しては、従来から水酸化物や硫化物として凝集沈降によって重金属の大部分を除き、水溶液中に含まれる微量の重金属をキレート樹脂などによって除去している。
【０００４】
【発明が解決しようとする課題】
この様な重金属化合物の除去処理に使用されるキレート樹脂は、三次元に架橋された高分子基体にキレート形成能を持つ官能基を結合させたものであり、例えば、塩化ビニルにヒドラジンを結合させた樹脂や、ビスカルボキシメチルアミン基を官能基とするキレート樹脂や、スチレンとジビニルベンゼンの共重合体にビスカルボキシメチルアミン基を結合させたキレート樹脂などがある。
【０００５】
しかしながら、キレート樹脂は耐熱性に優れず、処理液の温度が高いと樹脂の劣化が早いために樹脂自体の寿命が短く、かつこの様なキレート樹脂を使用する処理装置自体の頻繁な補修が必要となる。
【０００６】
一方、重金属除去方法として、特開平８−１８２９８４号公報には、重金属イオン含有水をリン酸カルシウム系セラミックス粒子と接触させることを特徴とする重金属イオン含有水から重金属イオンを除去する方法が開示されている。リン酸カルシウム系セラミックス粒子として骨炭粒子が好ましい旨が記載され、重金属吸着量はキレート樹脂に比べて多く、重金属除去装置を小型化できるとされている。しかしながら、本発明者は、活性炭による重金属吸着力はいまだ十分でないことを確認している。
【０００７】
また、一般的に吸着処理においては処理液の温度が低い方が吸着効率に優れ、重金属の吸着処理の前に処理液を十分に冷却することが好ましいが、冷却時間自体に長持間を要したのでは迅速な処理が困難である。また、熱交換器等により冷却したのでは、冷却自体に光熱費が要求され経済的な重金属の処理が確保できない。その一方、燃焼温度自体を低くしたのでは、低温域で塩素ガスの存在下に発生し易いとされるダイオキシンの発生を防止することができない。
【０００８】
加えて、産業廃棄物中には重金属の他にハロゲン含有化合物や硫黄含有化合物が含有され、焼却炉において高温燃焼してハロゲン含有化合物を酸化分解して臭気を除去し処理されている。しかし、燃焼（酸化）分解されたハロゲン（例えば塩素）は、燃焼用空気によりハロゲン化水素（例えば塩化水素）ガスとなって存在し、該ガスは有毒であり、かつ温度が低下すると該ガス中の水分に吸収されて強酸となる。従って、廃ガスから酸性物質を重金属と共に捕獲し、冷却、回収などの処理できれば便宜である。
【０００９】
【課題を解決するための手段】
本発明者は上記問題に鑑み、廃ガスを迅速に冷却できる装置と、重金属吸着力に優れる重金属吸着剤とを使用することで、廃ガスや産業廃液中に含まれる各種有害物質を効率よく除去できることを見出し、本発明を完成させた。
【００１０】
即ち、上記諸目的は、下記（１）〜(１０)により達成される。
【００１１】
（１）  産業廃液を、活性炭にキレート形成基含有化合物を結合した重金属吸着剤に接触させることを特徴とする産業廃液の浄化方法。
【００１２】
（２）  該産業廃液をｐＨ７〜１２に調整して該廃水に含まれるアルカリ不溶物を沈澱させ、得られた上澄を活性炭にキレート形成基含有化合物を結合した重金属吸着剤と接触させることを特徴とする産業廃液の浄化方法。
【００１３】
（３）  該産業廃液が、温度６００〜１０００℃の燃焼廃ガスを溢流水と混合し、次いで得られた該ガスと溢流水との混合液をベンチュリー塔で急冷して得た廃ガス成分溶解液であることを特徴とする、上記（１）または（２）記載の産業廃液の浄化方法。
【００１４】
（４）  該廃ガス成分溶解液の一部を該溢流水として再循環させることを特徴とする、上記（３）記載の産業廃液の浄化方法。
【００１５】
（５）  該燃焼廃ガスが、温度１０００〜１５００℃に加熱してダイオキシンを分解除去したものである、上記（３）または（４）記載の産業廃液の浄化方法。
【００１６】
（６）  燃焼廃ガスを、温度１０００〜１５００℃に再加熱して該廃ガス中に含まれるダイオキシンを分解し、得られた該ガス中の水溶性成分を水に溶解して廃ガス成分溶解液を調製し、該廃ガス成分溶解液を活性炭にキレート形成基含有化合物を結合した重金属吸着剤に接触させて重金属を吸着除去することを特徴とする産業廃ガスの浄化方法。
【００１７】
（７）  該再加熱した廃ガスを、次いで温度６００〜１０００℃に空気冷却して該ガス中に含まれる重金属成分を凝縮させて分別し、得られた該ガス中の水溶性成分を水に溶解して廃ガス成分溶解液を調製することを特徴とする上記（６）記載の産業廃ガスの浄化方法。
【００１８】
（８）  該廃ガス成分溶解液が、温度６００〜１０００℃の燃焼ガスと溢流水と混合し、得られた該ガスと溢流水との混合液をベンチュリー塔で急冷して調製したものである、上記（６）または（７）記載の産業廃ガスの浄化方法。
【００１９】
（９）  温度６００〜１０００℃の廃ガスを溢流水と混合し、得られた該ガスと溢流水との混合液を冷却する冷却装置と、
活性炭にキレート形成基含有化合物を結合した重金属吸着剤を充填した重金属吸着塔とを有する環境汚染物質の浄化装置。
【００２０】
（１０）  更に、廃ガスの再加熱装置を有することを特徴とする、上記（６）記載の環境汚染物質の浄化装置。
【００２１】
【発明の実施の形態】
本発明の第一は、産業廃液を、活性炭にキレート形成基含有化合物を結合した重金属吸着剤に接触させることを特徴とする産業廃液の浄化方法である。従来は、三次元架橋樹脂を基体としてこれにキレート形成基を結合させたキレート樹脂により重金属を吸着除去していたが、このような樹脂は耐久性に優れず、かつ重金属の吸着も十分では無かった。本発明で使用する重金属吸着剤は、基体に活性炭を使用しているために耐久性に優れ、安価、かつ優れた重金属結合能を有し、廃ガス中に含まれる重金属に加え、他の吸着性物質を除去することができるのである。
【００２２】
（１）重金属吸着剤
本発明で使用する重金属吸着剤は活性炭を基体とし、これにキレート形成基含有化合物を結合したものである。
【００２３】
活性炭を使用したのは、活性炭が多孔質物質であり、それ自体が重金属吸着能を有するからである。従って、活性炭としては、その使用目的から多孔質物質であることが好ましく、４〜４０メッシュの粒径を有するものであること、より好ましくは、４〜３２メッシュ、特には６〜２０メッシュであることが好ましい。上記範囲で流体圧に対する抵抗性が維持され、かつ圧力損失が少なく、迅速な流体処理を確保できるからである。なお、活性炭の粒径は上記範囲内で廃ガス洗液と重金属吸着剤とを接触させる際の圧力損失や流速などを考慮して適宜選択することできる。
【００２４】
活性炭は、表面のみならず内部にも多数の孔を有するものであることが好ましい。比表面積が、７００〜１５００ｍ2／ｇ、より好ましくは１０４０〜１５００ｍ2／ｇであることが好ましい。また、内部表面積は７００〜１８００ｍ3／ｇ、特には９００〜１５００ｍ3／ｇであることが好ましい。特に、物質の吸着力は細孔径に依存する場合が多く、多孔質物質の平均細孔径としては、２０〜５０Å、特には２０〜４０Åであることが好ましい。一般に、活性炭は溶剤の回収、ガスの精製、脱臭剤、脱色剤などに用いられる多孔質の炭素であり、１０００万分の数センチメートルの微細な多数の孔を有し、物質を吸着する性質が極めて強い。活性炭にはその減量物質に由来して多種が存在するが、重金属吸着力や耐久性の観点からは、くり、かし、やしなどの植物を原料とするものが好ましく、特に好ましくはくり、かし、椰子殻等の活性炭である。その理由については明確でないが、これらの活性炭は特に他の種類に比べて多くの水酸基を有することから、かかる造塩能を持つ酸性基である水酸基によって重金属結合能を向上させるものと考えている。
【００２５】
なお、活性炭の内部は著しく多孔質であり、優れた重金属吸着力を奏するのはこのような多孔質物質の吸着力もその一因として作用していると考えているが、本発明で使用するキレート形成基含有化合物を結合させたものは、活性炭単独よりも重金属吸着能を奏する。
【００２６】
なお、同様に、多孔質であれば活性炭に限られず、天然砂や多孔の溶岩を更に微細に粉砕した多孔質の砂や岩石等を使用することもできる。
【００２７】
本発明で活性炭に結合させるキレート形成基含有化合物としては、重金属をキレート結合できる従来三次元架橋体に結合させていたキレート形成基を有する化合物であれば、制限無く使用することができる。キレート形成基の種類によって、捕獲する重金属の種類が異なるため、使用目的に応じて適宜選択することができる。
【００２８】
例えばこのような化合物としては、−ＣＳＮＨ2、−ＣＳＮＨＮＨ2、−ＮＨＣＳＮＨＮＨ2、−ＮＨＣＳＮＨ2、イミノジ酢酸基、−（ＮＨＣＨ2ＣＨ2）−ＮＨ2、＞ＮＣＨＲＣＯＯＨ、＞Ｃ＝ＮＯＨ、−Ｃ（ＮＨ2）＝ＮＯＨ、＞ＮＣＨ2−（Ｃ（ＯＨ）n−Ｈ、＞ＮＣＨ2ＰＯ3Ｈ2、−Ｃ（ＮＨＯＨ）＝Ｏ、−ＣＯＣＨ2−ＣＯ−、＝ＣＯＨ−ＣＯ−および−（Ｃ（ＯＨ）Ｈ）n−ＣＨ2ＯＨを有する化合物がある。これらの中でも、−ＣＳＮＨ2、−ＣＳＮＨＮＨ2、−ＮＨＣＳＮＨＮＨ2、−ＮＨＣＳＮＨ2を有する化合物、より具体的には、チオセミカルバジド、チオカルバジドまたはチオ尿素を使用することが好ましい。これらが特に水銀や、鉛、亜鉛等の重金属の吸着力に優れるからである。本発明では、これらのいずれかを単独で使用するほか、２種以上を併用することもできる。
【００２９】
このようなキレート形成基含有化合物と活性炭との反応メカニズムは不明であるが、実際に重金属吸着力に優れる吸着剤が得られるのである。詳細は不明であるが、これにより活性炭の多孔質物質表面に、キレート形成基含有化合物が結合すると考えられる。なお、該重金属吸着剤としては、上記化合物に加えて、他の化合物を活性炭に結合させてもよい。このような他の化合物としては、ヒドロキシメチルセルロース、ポリアルコール、ポリアミン、ヒドロキサム酸、アミノ酸、イミノジ酢酸等がある。例えば、ヒドロキシメチルセルロースを、チオセミカルバジドと共に活性炭に結合すると、チオセミカルバジドの活性炭への結合がより強固になる。この様な化合物の結合量としては、活性炭重量の０．０１〜５重量％であることが好ましい。
【００３０】
なお分子間の結合には、双方の原子または原子団が一個ずつ電子を出し合い対にして共有することでできるのが共有結合、最外殻電子が一方から他方へ移動して正負の電荷を帯び、電気的に引き合ってできるのがイオン結合、一方の原子または原子団が出した二個の電子が、他の原子または原子団の軌道に移動してできるのが配位結合等がある。本発明における活性炭へのキレート形成基含有化合物の「結合」の意は、上記の共有結合に限られず、イオン結合、水素結合を含み、更に、原子または原子団同士の結合に限られず単に物理的に吸着結合した担持をも含むものとする。
【００３１】
該重金属吸着剤は、キレート形成基含有化合物の活性炭への結合量が、該活性炭重量の１〜１０重量％であること、更には１〜５重量％、特には１〜２重量％であることが好ましい。この範囲で優れた重金属吸着力を発揮しうるからである。次に、このような重金属吸着剤の製造方法を説明する。
【００３２】
まず、チオセミカルバジド、チオカルバジドおよびチオ尿素等のキレート形成基含有化合物の０．２重量％から飽和濃度である溶液に活性炭を含浸して結合させ、次いで該活性炭を該溶液から分取し、乾燥する。この様にキレート形成基含有化合物を溶解させた溶液に活性炭を含浸させることで、活性炭にキレート形成能基を結合させることができ、極めて重金属除去効果に優れる重金属吸着剤が製造できる。また、これらの化合物に加えて、例えばポリアルコール、ポリアミン、ヒドロキサム酸、アミノ酸、イミノジ酢酸等を活性炭と反応させて結合してもよい。この場合には、予め活性炭にこれらを結合させ、次いでチオセミカルバジド等を結合させてもよいし、チオセミカルバジド、チオカルバジドおよびチオ尿素からなる群から選ばれる１種以上の化合物と他の化合物とを、活性炭に同時に含浸処理して結合させてもよい。
【００３３】
該キレート形成基含有化合物含有溶液の濃度は、その種類によって飽和濃度が異なるのであるが、０．２重量％から飽和濃度、より好ましくは０．４〜１０重量％、特には１．８〜２．５重量％の溶液を使用することが好ましい。この範囲で、キレート形成基含有化合物を活性炭に十分結合させることができるからである。また、活性炭は、該溶液中に０．５〜１８時間、より好ましくは２〜１５時間、特には６〜１０時間含浸させる。この溶液は撹拌することが好ましく、撹拌速度は、０．５〜５ｒｐｍ、より好ましくは１．０〜１．５ｒｐｍであることが好ましい。なお反応の終了は、物質重量秤量によって知ることができる。次いで、該含浸溶液から多孔質物質を分取して乾燥させる。このような乾燥としては、天日乾燥や自然乾燥の他、乾燥機を使用してもよい。なお、活性炭へのキレート基含有化合物の結合量は、これらの化合物含有溶液に浸漬する前の活性炭重量に対する生成物の乾燥重量から算出したものである。
【００３４】
上記によって得られた重金属吸着剤は、基体として活性炭を使用しているために無機物に限られず各種有機物をも吸着させることができるが、キレート形成基含有化合物を結合させているために、特に各種重金属イオン、微細重金属の吸着に優れる。特に有効に除去できる重金属としては、水銀、銀、金、白金、亜鉛、鉛、スズ、銅、マンガン、クロム、鉄、カドミウム、ウラン等の重金属またはこれらの酸化物があり、特に水銀、鉛、亜鉛、錫、銅の各イオンの吸着量に優れる。
【００３５】
（２）燃焼廃ガスと産業廃液
本発明は、環境中に放出される廃ガスや廃液に含まれる環境汚染物質を効率的に浄化することを目的とする。従って産業廃液としては、メッキ工場、製紙工場、研究施設、医療施設、実験研究室廃水、病院廃水、鉱山廃水、都市ゴミ焼却場の洗煙廃水など、各種環境汚染物質を含有する液状物を含むものとする。また。燃焼廃ガスとは、都市ゴミ焼却場からの燃焼廃ガスや、産業廃棄物、医療廃棄物などの各種廃棄物を焼却した際に発生する廃ガスを意味する。燃焼廃ガスには、各種の環境汚染物質が含まれ、これらを直接環境中に放出したのでは環境保全の観点から適当でないからである。なお、燃焼廃ガスを洗浄した洗液等、燃焼廃ガスを水に溶解すれば液体となる。したがって、その処理時に液体であるものは産業廃液に該当するものとする。
【００３６】
（３）燃焼廃ガスおよび産業廃液の浄化方法
一般に、産業廃液や燃焼廃ガス中には、水銀、鉛、亜鉛等の重金属、ハロゲン酸、ＳＯｘ，ＮＯｘ等の酸性物質、ダイオキシン等の各種の環境汚染物質が含まれる。本発明の浄化方法は、出発物質が燃焼廃ガスなどの気体、産業廃液等の液体、燃焼前の固体等のいずれの形態であるかを問わず、処理時に含まれる各種環境汚染物質を効率よく系外から除去するものである。
【００３７】
以下に、産業廃棄物を燃焼して得た燃焼廃ガスを浄化処理する方法を用いて、本発明の浄化方法を図１に例示するフローに従って説明する。
【００３８】
（ｉ）再加熱装置
産業廃棄物を燃焼すると、二酸化炭素ガスや煤塵に加え、産業廃棄物自体に含まれる物質の燃焼反応によって、塩酸、ＳＯｘ、ＮＯｘ等の酸性物質や、ダイオキシン等の有害物質、重金属酸化物が生成される。従って、燃焼廃ガスは、これら酸性物質やアルカリ性物質、重金属酸化物、その他の有害物質を含有している。
【００３９】
本発明の浄化方法では、例えば、廃棄物燃焼炉から排出された燃焼廃ガスを、温度１０００〜１５００℃に再加熱して、該燃焼廃ガス中に含まれるダイオキシンを分解除去する。ダイオキシンは、低温燃焼火炎中で塩素の存在下に発生することが知られているため、燃焼温度を７００℃以上とすれば、その発生を有効に防止することが可能である。しかしながら、焼却施設が耐火性に優れない場合や部分的に低温燃焼する場合もあり、ダイオキシンの発生を完全に防ぐのは困難である。加えて、ダイオキシンは毒性が強いため微量に存在しても処理者に有害となる。本発明によれば、加熱分解によりダイオキシンを分解でき、かつ廃ガス処理の早期においてダイオキシンを系中から除去できるため、極めて安全性に優れる処理方法となる。
【００４０】
なお、ダイオキシンは温度７００℃以上で分解するが、本発明では上記のごとく１０００〜１５００℃、より好ましくは１１００〜１４５０℃、特には、１２００〜１４００℃で加熱する。１０００℃を下回るとダイオキシンの分解効率が悪く、その一方、１５００℃を越えると熱効率がおとる。尚、分解率は、温度のみならず廃ガスの滞留時間によっても異なる。一般には、２〜２．５秒の間、上記温度を保持することで十分な分解が達成される。
【００４１】
該再加熱においては、加熱方法や温度制御は特に限定されるものではない。従って、電気的な制御によって再加熱装置内の温度を上記温度範囲に設定してもよく、燃焼廃ガスを導入した再加熱装置内にバーナー等で加熱した熱気を同装置内に導入して温度を上記範囲としてもよい。熱効率の点からは、バーナーで加熱した熱気を再加熱装置内に導入することが好ましい。
【００４２】
更に、ダイオキシンの分解を促進するために分子状酸素含有ガス等の分解促進物質を燃焼廃ガスに添加して加熱してもよい。分子状酸素としては、酸素ガスの他に空気を使用することができる。また、再加熱装置の温度をバーナーを燃焼させて得た熱気によって加熱する場合には、再加熱装置内に水蒸気を導入し、内部の熱エネルギーにより添加した水蒸気の水分子中に存在する酸素を酸化反応に使用してもよい。なお、このような水蒸気としては、イオン交換水、純水、軟水その他残留物の少ない水を使用することが好ましい。
【００４３】
なお、この様な再加熱装置は、１５００℃の高温に耐える必要があり、耐酸性、耐熱性に優れる部材、例えば、耐熱性組成物等で内張りしたものを使用することが好ましく、従来から製鉄の高炉等に使用されるパーマレンガや不定形耐火物等を使用することができる。
【００４４】
例えば、このような耐火物としては、電融又は焼結アルミナ、仮焼アルミナ、ボーキサイト、電融又は合成ムライト、シリマナイト、アンダリューサイト、カイヤナイト、バン土頁岩、シャモット、ロー石、珪石、溶融シリカ、電融又は焼結マグネシア、電融又は焼結スピネル、蒸発シリカ、チタニア、電融又は焼結ジルコニア、ジルコン、クロム鉱、電融又は焼結マグネシアーライム、電融ジルコニアームライト、電融アルミナージルコニア、炭化珪素、窒化珪素、粘土、天然又は人造の黒鉛、石油コークス、ピッチコークス、無煙炭、カーボンブラック、ピッチ等の無定形炭素等が挙げられ、これらの内の１種又は２種以上を使用することができる。
【００４５】
しかしながら、本発明では、耐熱性組成物内にＳｉＯ2を６５〜８５重量％、より好ましくは７０．５〜７７．８重量％、Ａｌ2Ｏ3を８〜１５重量％、より好ましくは１２．５〜１３．０重量％およびＮａ2Ｏを３〜８重量％、より好ましくは３．５〜４．４重量％含有するものが好ましい。また、この耐熱性組成物には、更に、Ｆｅ2Ｏ3、ＣａＯ、ＭｇＯ、ＭｎＯ、Ｋ2Ｏ、Ｎａ2Ｏを含有してもよい。
【００４６】
配合しうるＦｅ2Ｏ3は、耐熱性組成物内に、０．６〜２．５重量％、より好ましくは１．０〜２．０重量％である。また、配合しうるＣａＯは、耐熱性組成物内に、０．６〜２．５重量％、より好ましくは１．０〜２．０重量％である。また、配合しうるＭｇＯは、耐熱性組成物内に、０．０６〜０．３重量％、より好ましくは０．１〜０．２重量％である。また、配合しうるＭｎＯは、耐熱性組成物内に、０．１２〜０．５重量％、より好ましくは０．１８〜０．３重量％である。また、配合しうるＫ2Ｏは、耐熱性組成物内に、１〜５重量％、より好ましくは１．５〜４重量％である。
【００４７】
なお、上記耐熱性組成物に、更に結合剤や解膠剤を混合してもよく、通常の吹付け用耐火物に使用されるものを用いることができる。より具体的には、粒度調整したシャモットに結合剤としてアルミナセメントを１０％前後添加したもので、使用現場で水を加え混練後コンクリートと同様に流し込める耐火物で、品種としては高アルミナ質、クロマグ質、断熱質がある。結合剤としてリン酸塩、ケイ酸塩のほか、粘土などを使用したものの何れもよい。なお、この様な耐熱性組成物は、従来組成が公知である耐熱性組成物を使用して、不足成分を補うことで調整することができる。
【００４８】
上記組成の耐熱性組成物を、通常の不定形耐火物と同様に取り扱い、水で混練し、乾燥し、焼結すると、極めて耐熱性および耐酸性に優れた部材となる。この様な優れた耐熱性組成物は、従来全く知られていなかった。即ち、従来から一般にロー石として知られる耐火物の組成は、ＳｉＯ2を６５〜８５重量％、ＳｉＯ2を８〜１５重量％含有するのであるが、Ｎａ2Ｏの含有量は０．１〜０．３重量％である。一方、ガラス組成物は、一般にＳｉＯ2を６５〜８５重量％、Ｎａ2Ｏの含有量を４〜１５重量％含有するのであるが、ＳｉＯ2が０．５〜６重量％である。上記耐熱性組成物は、これらの中間の組成を有するのであるが、なぜに耐熱性および耐酸性に優れるかは、不明である。具体的には、耐熱性に優れると共に撥水性にも優れるのである。これにより、高温でかつ水分量が多い環境下でも、極めて安定性に優れるのである。従って、このような耐火物組成を、上記再加熱装置の内壁に使用することで、高温雰囲気を確保し、効率的にダイオキシン等の分解処理を行うことができるのである。
【００４９】
なお、廃ガスを上記温度範囲で再加熱処理すると、ダイオキシンに加えてＳＯｘ、ＮＯｘ等の酸化物や、一酸化炭素等も分解できる。
【００５０】
（ｉｉ）空気冷却装置
急速冷却装置に導入する燃焼廃ガスは、上記のごとく温度６００〜１５００℃の高温である。燃焼廃ガス中には、重金属が燃焼によって酸化物として存在するため、これを温度５〜３０℃の空気によって冷却し、廃ガス中に含まれる重金属を金属アマルガムとしてガスから分離することができる。また、あらかじめ廃ガス温度を低下させることで、以降に続く急速冷却の冷却効率を向上させることができる。
【００５１】
より具体的には、急速冷却装置に導入される廃ガス温度は、再加熱装置を排出してガス温度、即ち上記のごとく１０００〜１５００℃であるが、急速冷却装置によって排出温度６００〜１０００℃、より好ましくは７００〜９００℃に冷却する。金属アマルガムの生成のためには、冷却温度は低いことが好ましいのであるが、６００℃を下回るほどに冷却するには、大量の冷却エネルギーが必要となって不利であり、その一方、１０００℃を越えると十分に金属アマルガムを得ることができず不利となる。
【００５２】
生成された金属アマルガムは、急速冷却装置内で生成されるため、適宜これを回収する。こうすることで、廃ガス中に含まれる重金属酸化物を物理的に除去することができる。これによって、次に続く急速冷却によって得られる溶液中の重金属濃度を低減でき、同様に重金属吸着剤による処理量を低減することができるのである。
【００５３】
なお、空気冷却装置内も、上記のごとく６００〜１０００℃の高温を維持する必要があり、装置が耐熱性に優れる必要がある。従って、再加熱装置の内張りに使用できる耐熱性組成物を、同様に使用することができ、かつ好ましい。
【００５４】
（ｉｉｉ）急速冷却装置
本発明では、ダイオキシン等を分解除去した廃ガスを急速に冷却すると共に、廃ガス成分溶解液として調製する。このため、温度６００〜１０００℃の廃ガスを溢流水と混合し、得られた該ガスと溢流水との混合液を冷却する急速冷却装置を使用する。冷却効率を考慮すれば、廃ガス温度は６００〜９００℃、特には７００〜９００℃であることが好ましい。６００℃を下回る廃ガスを得るにはあらかじめ多量の冷却エネルギーを必要とする一方、１０００℃を越えると冷却効率が劣る場合があるからである。
【００５５】
該冷却装置は、図２に示すように、上部のガス導入部から導入されたガスが、中間胴部、スロート部及びディフューザ部を経て流下するガス流路を有し、当該ガス流路の前記スロート部の上部に、外部から導入した冷却水と前記ガス流路を流れるガスとを混合する気液混合部を形成し、当該気液混合部は、前記ガス流路内に前記冷却水が流入する貯水部を有し、当該貯水部から溢流した冷却水が前記ガスと混合され流下するようにしたことを特徴とする。これにより、廃ガスの溶液化、迅速な冷却を一度に行うことができる。即ち、スロート部とディフューザ部とを有するいわゆるベンチュリーが、液体や気体を冷却するために使用されることや、集塵を目的とするベンチュリースクラバーは知られているが、該冷却塔は、スロート部とディフューザ部との上部に気液混合部を有する中間胴部を設けることで、高温のガスと冷却水とを混合し、これにより高温ガス中に含まれる重金属、酸性成分等を冷却水中に溶解させ、次いでスロート部とディフューザ部を介して急速に冷却するものである。
【００５６】
より詳細には、図２に示すように、該冷却装置（６０）は、処理すべき廃ガスが導入されるガス導入部（１０）と、当該ガス導入部（１０）の下部に設けられた筒状の中間胴部（２０）と、該中間胴部（２０）の下部に同軸的に設けられ、前記廃ガスを一旦絞って流すスロート部（３０）と、当該スロート部（３０）から流下する廃ガスを拡張して流すディフューザ部（５０）とを有し、内部にガス流路Ｒが形成されている。
【００５７】
当該ガス流路Ｒは、気液混合部（９）の中に設けられる。また、気液混合部（９）は前記スロート部（３０）の上部に存在し、外部から導入した冷却水と前記ガス流路Ｒを流れるガスとの混合部である。気液混合部（９）には、前記ガス流路Ｒ内に冷却水が流入する貯水部（４０）を有し、当該貯水部（４０）から溢流した冷却水が前記ガスと混合されて流下する。
【００５８】
より具体的には、燃焼廃ガスはまず中間胴部（２０）に導入される。廃ガスは、直ちに溢流水と混合してもよいのであるが、導入ガスの温度は水の臨界温度である３７５℃を越えるため、冷却水の表面上部は常に水蒸気となって揮発する。従って、この水蒸気ガスを捕獲し、かつ高温ガスと冷却水との混合を容易にするために中間胴部を広く設ける。また、ガス導入部から高速で導入されるガスを広所に導くことによってガスの流速を遅くすることができ、これによって気液混合が容易になる。
【００５９】
ガス導入部（１０）の内径（ｘ）は、該急速冷却装置の該燃焼用廃ガスの流量に基づいて決定することができる。ここに、前記中間胴部は、中間胴部の最も広い部分の内径（ｙ）がガス導入部の内径（ｘ）の１．２〜２倍であることが好ましく、より好ましくは１．３〜１．８倍である。１．２倍を下回ると速度低下の効果が弱く、一方、２倍を越えても速度を低下する効果に大きな違いがなく、設備の無駄な拡大となるからである。
【００６０】
次いで、廃ガスは貯水部（４０）の上部に達する。貯水部（４０）では外部から導入された冷却水（２１）を該貯水部（４０）上部から溢流させることを特徴とする。冷却水（２１）、即ち溢流水は、中間胴部（２０）の中央近傍まで溢流が達するが、これにより溢流水と中間胴部（２０）で速度を落としたガスとが容易に混合できるのである。例えば、高温ガスと冷却水との混合であれば、溢流水に限らず冷却水をシャワーの様に散水させる方法もあるが、散水によると水滴が高温ガスの有する上昇力気流に同伴するため、散水が十分にガスを吸引することができない。これに対して溢流させると溢流水の落下による吸引力と相まってガスと溢流水とが容易に混合するのである。更に、気液混合物が、中間胴部におけるより狭く設計された絞り部（２２）を通過することで、より気液混合が進行する。この絞り部（２２）は、貯水部（４０）の側壁によって構成される。
【００６１】
冷却水の溢流量は、ガス導入部（１０）に導入されるガス量等によって、調整することができ、該導入ガスと溢流させた冷却水（２１）との混合及びガスの冷却を十分に行うために冷却水の流量を十分に確保する。
【００６２】
ここに、該導入ガス量と冷却水（２１）の溢流量は、前記導入ガスの該中間胴部（２０）における体積１容量に対して、前記冷却水の液量が１〜１０倍容量、より好ましくは１．１〜８、特には１．２〜６の割合で溢流させることが好ましい。１倍容量を下回ると冷却水の温度をその露点以下にすることができず、このためにガス中に含まれる成分を冷却水に溶解させることが困難となる。また、本発明は、該気液混合物を下部に設けたスロート部とディフューザ部とで急速冷却するのであるが、冷却水が１倍容量を下回ると十分な冷却が困難となる。高温ガスによって冷却水が蒸発しては、該ガスに含まれる煤塵等の捕獲等も十分に行えないからである。一方、１０倍容量を越えると気液混合液の液量が多すぎて、その後の処理が困難となり、かつ冷却効果も変わらないために冷却水が無駄になる。
【００６３】
また、該貯水部（４０）の構造は、その上部において冷却水を溢流させることができれば特に制限されないのであるが、例えば、図に示すように該気液混合部（９）の内側に冷却水の溜である貯水部（４０）を設けつつ絞り部を構成することが好ましい。また、この様にして構成された該絞り部（２２）の内径（ｚ）は、該絞り部の全域に亘り同一面積を確保する必要は無い。該絞り部（２２）の内径（ｚ）とは、該絞り部（２２）の平均内径を意味するものとする。なお、冷却水は該貯水部（４０）に外部から導入した冷却水管（２３）を用いて導入すればよく、特に制限されるものではない。
【００６４】
ここに、貯水部（４０）から溢流させる冷却水（２１）の温度は、５〜５０℃であることが好ましく、より好ましくは１０〜４０℃、より好ましくは１５〜３０℃である。５℃を下回る冷却水の調製には冷却コストが必要となる一方、５０℃を越えると冷却効率が低下するからである。
【００６５】
また、冷却水の溢流量は、上述のごとく導入ガスの体積１容量に対して前記冷却水の液量の１〜１０倍容量を溢流させることができれば、貯水部（４０）のサイズに特に制限はないのである。一方、貯水部によって形成される絞り部（２２）に関していえば、ガスの温度と流速、流量、溢流水の流量とを勘案すると、ガス導入部の内径（ｘ）に対する絞り部（２２）の内径（ｚ）は、０．６〜１．５倍であることが好ましく、より好ましくは、０．８〜１．２倍である。０．６倍を下回ると気液混合物の迅速な落下が困難となり、その一方，１．５倍を越えると、ガスと溢流水との混合が困難となるからである。
【００６６】
絞り部（２２）を通過した気液混合物は、次いで中間胴部（２０）とスロート部（３０）との連結部（２４）を通過する。連結部（２４）の構造は特に制限がないのであり、絞り部（２２）を経た気液混合物が、スロート部に迅速に落下でき、かつ塔外に遺漏することが無ければよい。
【００６７】
連結部（２４）を経た気液混合物は、次いでスロート部（３０）に導入されるのであるが、スロート部（３０）とディフューザ部（５０）とは、狭所から急激に広所に移行するに際して気液が膨脹すると共に熱を放散する原理を用いて気体や液体を冷却することができるものである。従って、スロート部（３０）の内径が冷却効果に影響を与えるのであるが、この急速冷却装置においては、ガス導入部の内径（ｘ）に対して、０．２〜０．６倍であることが好ましく、より好ましくは０．２５〜０．５倍である。０．２倍を下回ると気液混合物の迅速な落下が確保さないために急冷効果が得られず、その一方，０．６倍を越えるとベンチュリー効果を得ることができず、急冷できないからである。
【００６８】
該スロート部下部からディフューザ部（５０）下端部までの距離（ｂ）は、スロート部の内径（ａ）に対して、２〜１０倍であることが好ましく、より好ましくは４〜８倍である。２倍を下回るとスロート部からの気液混合物の落下速度を低下させることができないために、ディフューザ部（５０）下部での気液混合物のはね上がりが大きく、その一方、１０倍を越えても速度低下や冷却効果に差は無いからである。
【００６９】
該ディフューザ部（５０）の末端の形状も特に制限されるものでは無いが、下部末端は例えば図に示すように、波切りの形状を呈することが好ましい。ガス中に含まれる水溶性成分は冷却水に溶解するのであるが、冷却水にガス成分を溶解させた後の気体成分をディフューザ部（５０）から簡便に放出するためである。
【００７０】
なお、該廃ガス成分溶解液は、溢流水（冷却水）として再使用することができる。このように溢流水を循環させると廃ガス中の水溶性成分を濃縮することができるため有利である。
【００７１】
このような冷却塔は、該廃ガス成分溶解液貯水槽の上部に設置すると該槽内に廃ガス成分溶解液が貯留され、かつ廃ガス中に含まれる煤塵や水溶性物質を除去した残留ガスを回収することができる。この残留ガスには、溢流水に溶解されずに残存した成分、例えば重金属または重金属化合物等が含まれているため、別個にガス中に含まれるこれらを除去処理する。このような重金属等の処理方法としては、上記した、活性炭にキレート形成基含有化合物を結合させた重金属吸着剤を用いて、気相反応によって該ガスから重金属を吸着除去することができる。
【００７２】
なお、上記急速冷却装置を構成する部材としては、高温ガスを急速に冷却するものであるため、高いガス温度に耐える部材を使用する必要がある。従って、外被を鉄やステンレス等の金属部材で構成し、その内壁はガスの高温に耐えかつ廃ガスに含有される酸性物質に対する腐食性に優れる部材を使用することが好ましい。この様な、内壁に使用される部材としては、従来から製鉄の高炉等に使用されるパーマレンガや公知の不定形耐火物等を使用することができるが、上記再加熱装置に使用できる耐熱性組成物を使用することができ、かつ好ましい。
【００７３】
尚、上記急速冷却装置を使用すると、温度６００〜１０００℃の廃ガスを導入し、温度２０〜４０℃の廃ガス成分溶解液を得ることができる。
【００７４】
（ｉｖ）アルカリ沈殿処理
急速冷却装置によって得られた廃ガス成分溶解液には、再加熱装置で分解されなかった水溶性成分、例えば残存二酸化炭素、ＳＯｘ、ＮＯｘ、ハロゲン酸等の酸性物質、重金属や重金属化合物の一部、アミン類等のアルカリ性物質が溶解している。従って、これらの成分を水酸化ナトリウム、水酸化カリウム、水酸化カルシウム、亜硫酸ナトリウム、消石灰、アンモニア等のアルカリ物質を添加すれば、不溶性の化合物である水酸化物等として沈殿分離することができる。廃ガス成分溶解液中に存在する水溶性成分を沈殿除去することで、容易に有害成分を分別除去することができるのである。
【００７５】
このようなアルカリ沈殿の方法は、公知のいかなる方法をも使用することもできる。なお、沈殿物と上澄とを分別するにも、公知の何れの方法をも実施することができる。例えば、該産業廃液に含まれる重金属化合物の溶解度が最小となる様に水酸化ナトリウム等のアルカリを加えてｐＨ７〜１２を調整し、重金属水酸化物等を凝集沈殿させ、固液分離手段により沈殿物と上澄水に分離する。このようにして得られた上澄水には、重金属の微細なフロックが存在するので、上澄水を濾過して微細フロックを除いた後に中和する。
【００７６】
（ｖ）重金属吸着剤充填塔
本発明の浄化方法では、産業廃液を上記重金属吸着剤に液相で接触させて浄化することを特徴とする。該重金属吸着剤は、上述のごとく、活性炭を基体としてこれにキレート形成基含有化合物を結合しているために、活性炭による吸着能とキレート形成基含有化合物による捕獲能とによって効果的に、溶解している残存重金属イオンや浮遊する微細重金属を効率的に吸着除去することができる。なお、上記重金属吸着剤は、活性炭を基体とするためにｐＨの変動に強く、従来の三次元架橋樹脂を使用する場合に比較して耐久性に優れる。しかしながら、該重金属吸着剤との接触処理を経て、該充填塔から排出される排出液の液性は、中性付近であることが好ましく、また重金属吸着剤の耐久性の面からも、処理前の産業廃液は、ｐＨを２〜８とすることが好ましく、より好ましくは３〜６．５とする。
【００７７】
（３）用途
上記のごとく、本発明の産業廃液の浄化処理方法によって、産業廃液のみならず、産業廃棄物の燃料廃ガスをも浄化して、環境汚染物質を除去することができる。即ち、燃焼廃ガスを浄化処理するには、上記のごとく、ダイオキシン、酸性物質、アルカリ性物質、重金属またはこの化合物、煤塵等を効率的に浄化することができるのである。しかしながら、産業廃液や燃焼廃ガスの中には、特定の成分のみが多量に含有されていたり、または、全く存在しないことが明らかな場合もある。この様な場合には、上記再加熱装置、空気冷却装置および急速冷却装置等による各処理や、アルカリ沈殿処理等の内で、必要のない処理を省略することは可能であり、かつ効率的でもある。従って、メッキ工場から排出される廃液等重金属を主として含有する場合には、上記重金属吸着剤による接触処理で十分な場合もある。
【００７８】
【実施例】
つぎに実施例を挙げて本発明をさらに詳細に説明する。
【００７９】
（参考例１）
ＳｉＯ2を７７．５重量％、Ａｌ2Ｏ3を１２．３重量％、Ｆｅ2Ｏ3を１．３重量％、ＣａＯを１．３重量％、ＭｇＯを０．１５重量％、ＭｎＯを０．２４重量％、Ｋ2Ｏを２．３重量％、Ｎａ2Ｏを４．３重量％含有する耐熱性組成物を調製した。
【００８０】
これに水を添加し泥状にし、乾燥、焼結し焼結体を得た。この焼結体について、比重、圧縮強度、曲げ強度、吸水率、熱伝導度（ＪＩＳ  Ｒ  １６１１）、耐火性（ＪＩＳ  Ｒ  ２２０４）、耐スポーリング性（ＪＩＳ  Ｒ  １６０９）、凍結溶融（ＪＩＳ  Ｒ  ２５２１）、耐酸度（ＪＩＳ  Ｒ  １５０３）を測定した。結果を表１に示す。
【００８１】
【表１】
0004585646.tif 000002
【００８２】
（参考例２）
参考例１で作成した焼結体として、８００〜９００メッシュの細粒を使用し、０．０６％硫酸、０．０２％硝酸、硫酸と硝酸との比が３：１である混酸に２５時間含浸し、細粒の減少率を調べ、酸自体に対する強度を測定した。また、同様にして印南石（加古川石）、仙台石（岩ヶ崎石）、オーペルギュー溶岩（イタリア）で同様に試験を行った。結果を表２に示す。
【００８３】
【表２】
0004585646.tif 000003
【００８４】
（参考例３）
参考例１の焼結体について、断熱試験を行った。厚さ５０ｍｍの焼結体の片面を温度１０００℃で５時間加熱した。他面は２６０℃より上昇しなかった。断熱係数は、０．０７７であった。
（参考例４）
６００ｋｇの活性炭（比表面積１０４０ｍ2／ｇ、内部表面積１５００ｍ3／ｇ、平均細孔径２０〜５０Å、６〜３２メッシュ）を攪拌槽に投入し、工業用水をろ過した清水にて３０回排水洗浄を繰り返し、汚水が無くなった時点で活性炭を籠にとって水を切り、天日にて乾燥した。チオセミカルバジドの０．５重量％溶液を１４０リットル調製し、これに天日乾燥した活性炭を投入した。１〜５ｒｐｍで５時間攪拌し、活性炭にチオセミカルバジドを結合させた。
【００８５】
（実施例１）
廃棄物を既設の溶融炉で燃焼し、平均温度９００℃、９００Ｎｍ3／Ｈの燃焼廃ガスを得た。この燃焼廃ガス中の成分を調べたところ、ダイオキシン1００〜１３０ｐｐｍ、ＨＣｌ０．１容量％、ＮＯｘ０．０２容量％、ＳＯｘ０．０１５容量％、重金属として水銀（Ｔ−Ｈｇ）０．０１容量％、亜鉛１．２２容量％、鉛０．１５容量％、その他の金属０．００５容量％であった。
【００８６】
これを参考例１の耐熱性組成物を用いて内壁を構築し、内容積３．０３ｍ3であって、下部からバーナーによって発生した熱気を送風する再加熱装置に導入し、再加熱装置内の温度を１４００℃とした。また、該再加熱装置内には、その上部から純水を３８５リットル／Ｈで噴霧した。これにより再加熱装置からは、該温度１４００℃の廃ガスが３５００Ｎｍ3／Ｈで排出した。再加熱装置から排出された廃ガス中の成分を調べたところ、ダイオキシン０ｐｐｍ、ＨＣｌ０．１容量％、ＮＯｘ０．０６容量％、ＳＯｘ０．０２容量％、重金属として水銀（Ｔ−Ｈｇ）０．０１容量％、亜鉛０．２１容量％、鉛０．１５容量％、その他の金属０．００５容量％であった。
【００８７】
次いで、この廃ガスを参考例１の耐熱性組成物を用いて内壁を構築した空気冷却装置に導入すると共に、温度３０℃の空気を２７２７Ｎｍ3／Ｈで導入した。これにより空気冷却装置から排出される廃ガス温度は、８００℃となり、その時の廃ガス排出流量は、６２２７Ｎｍ3／Ｈとなった。
【００８８】
また、この空気冷却によって、冷却器内に重金属がアマルガムとして沈殿付着した。重金属をアマルガムとして分取したため、空気冷却装置を排出する燃焼廃ガス中の成分は、ダイオキシン０ｐｐｍ、ＨＣｌ０．０８容量％、ＮＯｘ０．０８容量％、ＳＯｘ０．００１容量％、重金属として水銀（Ｔ−Ｈｇ）０．０１容量％、亜鉛０．１８容量％、鉛０．１５容量％、その他の金属０．００５容量％となった。
【００８９】
この空気冷却装置から排出された廃ガスを、参考例１の耐熱性組成物を用いて内壁を構築した、図２に示す急速冷却装置に導入した。
【００９０】
該急速冷却装置のガス導入部の内径は６００ｍｍであり、中間胴部の内径は１０００ｍｍ、スロートの内径に対するディフューザ部までの距離との比は５であった。尚、急送冷却装置の下部は、廃ガス成分溶解液の貯留槽に連結し、かつ急速冷却装置内のガスは、前記貯留槽上部に連結するガス溜に導入させた。
【００９１】
これに、冷却水として水道水（２０℃）を使用し、絞り部側面から冷却水を気液比２〜７リットル／ｍ3となるように調整して溢流させたところ、冷却水は絞り部の中央近傍に達していた。冷却水は、廃ガスと混合され、連結部、スロート部を経てディフューザ部下端部に達した。ディフューザ端部での気液混合物の温度は６３℃であり、蒸発水量は７５５ｋｇ／ｈｒ、廃ガス量は２９３６Ｎｍ3／ｈｒとなり、水槽に回収された廃ガス成分溶解液量は５１７０リットル／ｈｒとなった。また、該溶解液中にはダイオキシン０ｐｐｍ、ＨＣｌ０．０１容量％、ＮＯｘ０．０１容量％、ＳＯｘ０．００１容量％、重金属として水銀（Ｔ−Ｈｇ）０．０１容量％、亜鉛０．１８容量％、鉛０．１５容量％、その他の金属０．００５容量％が含まれていた。尚、この溶液のｐＨは５．５〜８．７であった。また、上記ガス溜には、流量２９３６Ｎｍ3／ｈｒでガスが導入され、該ガス中には、ダイオキシン０ｐｐｍ、ＨＣｌ０．０５容量％、ＮＯｘ０．０１容量％、ＳＯｘ０．０１容量％、重金属として水銀（Ｔ−Ｈｇ）０．０１容量％、亜鉛０．１８容量％、鉛０．１５容量％、その他の金属０．００５容量％が含まれていた。
【００９２】
次いで、この廃ガス成分溶解液にアルカリ物質として、ＮａＯＨを添加し、該溶液のｐＨを３〜８に調整した。この廃ガス成分溶解液中には、ダイオキシン０ｐｐｍ、重金属として水銀（Ｔ−Ｈｇ）０．０１容量％、亜鉛０．０８容量％、鉛０．１５容量％、その他の金属０．０３容量％が含まれていた。
【００９３】
該溶解液から沈殿物をろ過し、これを参考例３で得た重金属吸着剤を重合体を充填した重金属吸着剤充填塔に導入した。該導入液のｐＨは、３〜５であった。
【００９４】
該充填塔は、塔断面積３．１４ｍ2、充填高さ６００ｍｍ、重金属吸着剤量充填量１８８４リットルであり、これを２塔連結して使用した。流速は、ＳＶ＝５／Ｈとした。該充填塔からの排出液中にはダイオキシン０ｐｐｍ、重金属として水銀（Ｔ−Ｈｇ）０容量％、亜鉛０容量％、鉛０容量％、その他の金属容量％であった。なお、該排出液のｐＨは６．５であった。
【００９５】
上記実施により、再加熱装置、空気冷却装置、急速冷却装置の何れも、極めて耐熱性に優れ、耐熱性組成物の脱落や損傷等は、全く生じなかった。
【００９６】
【発明の効果】
本発明では、再加熱装置を使用することで、浄化処理当初から極めて効率的にダイオキシンを分解することができ、その後の廃ガス、廃液処理を安全に行うことができる。
【００９７】
水銀等は、常温で液体であるが、燃焼廃ガス中に含まれる水銀は、酸化物として存在するため、空気冷却によって効率的にアマルガムとして単離できる。従って、重金属等を廃ガスから容易に除去することができ、その後の重金属処理が極めて簡便かつ効率的に行われる。
【００９８】
本発明では、急速冷却装置を使用することで、廃ガスを簡便に水溶液の形状で調製することができる。しかも、該溶液は、温度３０℃という極めて低温で調製されるために、その後の吸着処理等の効率を向上させることができる。
【００９９】
本発明では、廃ガス成分溶解液や廃液を、活性炭にキレート形成基含有化合物を結合させた重金属吸着剤を使用して吸着除去するため、安価にこれらの処理が行える。しかも、活性炭はｐＨの変動に対して耐性を有するため、各種の産業廃液の処理が容易である。
【０１００】
本発明の方法を、実施する装置は、特に耐熱性に優れる必要があるが、特定の耐熱性組成物を使用することで、長期にわたる使用を行うことができる。
【図面の簡単な説明】
【図１】本発明の燃焼廃ガス、産業廃液の浄化方法のフロー図である。
【図２】図１に示す急速冷却装置の１態様を示す図である。
【符号の説明】
９気液混合部
１０ガス導入部
２０中間胴部
２１冷却水
２２絞り部
２３冷却水管
２４連結部
３０スロート部
４０貯水部
５０ディフューザ部
５１波切り
６０急速冷却装置
【図１】
0004585646.tif 000004
【図２】
0004585646.tif 000005